(57)【特許請求の範囲】
【請求項１】
フロートからなりコの字状又は口の字状の中央水窓部を有する台船の対向する二辺に敷かれたレールにまたがって中央水窓部にてレールと平行方向である第一方向又は／及びレールと垂直方向であって、かつ水平方向である第二方向に移動可能な最下部に浚渫取込口を付けた浚渫部を備えた浚渫装置による浚渫方法であって、
放射性物質で底が汚染された池等に浚渫装置を浮かべる準備ステップと、
浚渫装置を池等に対して固定する固定ステップと、
固定ステップにて固定された後に浚渫部を中央水窓部内にて第一方向又は第二方向へ向かって移動させ順方向浚渫をする順方向浚渫ステップと、
順方向浚渫ステップで浚渫された順方向浚渫ラインに沿ってその側部領域を順方向と逆の方向に浚渫部を移動させて逆方向浚渫をする逆方向浚渫ステップと、
を有し、
逆方向浚渫ステップは、前記順方向浚渫ラインの側部のうち一部を含んで浚渫を行う
池等の底の汚染部分を除去する放射性物質で汚染された池等の底の浚渫方法。
【請求項２】
順方向浚渫ステップと、逆方向浚渫ステップとを同じように繰り返すことで池等の中央水窓部下に位置する底の汚染部分をまんべんなく浚渫する繰返ステップを有する請求項１に記載の放射性物質で汚染された池等の底の浚渫方法。
【請求項３】
繰返ステップによって中央水窓部下に位置する池等の底の汚染部分の浚渫が完了した後に浚渫装置の池等に対する固定を解除する固定解除ステップと、
固定解除ステップの後に、浚渫が完了した池の中央水窓部分である浚渫完了中央水窓部分に隣接する領域に中央水窓部分が配置されるように浚渫装置を移動させる浚渫装置移動ステップと、
を有する請求項２に記載の放射性物質で汚染された池等の底の浚渫方法。
【請求項４】
準備ステップは、
複数の直方体フロートを池等周辺に運び込むフロート運搬サブステップと、
フロート運搬ステップにて運び込まれたフロートをコの字状又は口の字状に連結して台船とする連結サブステップと、
レールを連結された台船上に敷設するレール敷設サブステップと、
浚渫部を敷設されたレール上に載置する浚渫部配置サブステップと、
からなる請求項１から３のいずれか一に記載の放射性物質で汚染された池等の底の浚渫方
法。
【請求項５】
固定ステップは、
池等を挟んで空中にロープを渡すロープ懸架サブステップと、
懸架されたロープを介して浚渫装置を固定するロープ介在固定サブステップと、
からなる請求項１から４のいずれか一に記載の放射性物質で汚染された池等の底の浚渫方法。
【請求項６】
浚渫装置移動ステップは、懸架されたロープを介して浚渫装置を移動するロープ介在移
動サブステップを有する請求項３又は請求項３に従属する請求項４又は５に記載の放射性
物質で汚染された池等の底の浚渫方法。
【発明の詳細な説明】
【技術分野】
【０００１】
本発明は、放射性物質で汚染された池等の底の浚渫方法に関する。
【背景技術】
【０００２】
２０１１年３月の福島第一原子力発電所の事故により拡散した放射性セシウムによる土壌汚染の対策が急がれている。とくに放射性セシウムを吸着した土壌が降雨などにより水域に流入し湖沼や池などの閉鎖した水域の水底に集積し、放射性セシウムの高濃度化が生じている。そして、このような閉鎖性水域が農業用のため池である場合には耕作地を再汚染し、漁場である場合には水産物の汚染を招くこととなり早急な対策が求められている。
【０００３】
水底での泥土汚染は表層において汚染度が高く、深いところでの汚染度は低くなることがわかっている。したがって、水底表層の深さ数ｃｍから十数ｃｍ程度の泥土を浚渫機により浚い取ることで、相当量の汚染泥土を除去することができる。特許文献１には、従来の浚渫装置が開示されている。
【先行技術文献】
【特許文献】
【０００４】
【特許文献１】特開２００８−３１７４５号公報
【発明の概要】
【発明が解決しようとする課題】
【０００５】
ところで、水底の汚染泥土を回収する場合において最も注意を払うべきは、泥土を巻き上げて水中に拡散させてしまわないようにすることである。すなわち、水底において沈静化している放射性セシウムを水中に拡散させてしまうことのないように行わなければならない。しかしながら、このような要請に対して従来の浚渫装置を用いた浚渫方法では応えることができないという問題がある。すなわち、特許文献１に記載のような従来の浚渫機を用いた浚渫方法では、浚渫装置を台船上に設置して台船を移動させることにより浚渫が行われるが、台船の移動はスクリュー等の作動により行われるため、例えば池等の深さが浅い場合にはスクリューの作動により水底の泥土を巻き上げてしまう恐れが生じる。
【課題を解決するための手段】
【０００６】
そこで、本件発明者らは、上記の問題点を解決するために、以下に記載する放射性物質で汚染された池等の底の浚渫方法を開発した。すなわち、第一の発明として、フロートからなりコの字状又は口の字状の中央水窓部を有する台船の対向する二辺に敷かれたレールにまたがって中央水窓部にてレールと平行方向である第一方向又は／及びレールと垂直方向である第二方向に移動可能な最下部に浚渫取込口を付けた浚渫部を備えた浚渫装置による浚渫方法であって、放射性物質で底が汚染された池等に浚渫装置を浮かべる準備ステップと、浚渫装置を池等に対して固定する固定ステップと、固定ステップにて固定された後に浚渫部を中央水窓部内にて第一方向又は第二方向へ向かって移動させ順方向浚渫をする順方向浚渫ステップと、を有し、池等の底の汚染部分を除去する放射性物質で汚染された池等の底の浚渫方法を提案する。
【０００７】
また、第二の発明として、順方向浚渫ステップで浚渫された順方向浚渫ラインに沿ってその側部領域を順方向と逆の方向に浚渫部を移動させて逆方向浚渫をする逆方向浚渫ステップと、をさらに有する第一の発明に記載の放射性物質で汚染された池等の底の浚渫方法を提案する。
【０００８】
また、第三の発明として、順方向浚渫ステップと、逆方向浚渫ステップとを同じように繰り返すことで池等の中央水窓部下に位置する底の汚染部分をまんべんなく浚渫する繰返ステップを有する第二の発明に記載の放射性物質で汚染された池等の底の浚渫方法を提案する。
【０００９】
また、第四の発明として、繰返ステップによって中央水窓部下に位置する池等の底の汚染部分の浚渫が完了した後に浚渫装置の池等に対する固定を解除する固定解除ステップと、固定解除ステップの後に、浚渫が完了した池の中央水窓部分である浚渫完了中央水窓部分に隣接する領域に中央水窓部分が配置されるように浚渫装置を移動させる浚渫装置移動ステップと、を有する第三の発明に記載の放射性物質で汚染された池等の底の浚渫方法を提案する。
【００１０】
また、第五の発明として、準備ステップは、複数の直方体フロートを池等周辺に運び込むフロート運搬サブステップと、フロート運搬ステップにて運び込まれたフロートをコの字状又は口の字状に連結して台船とする連結サブステップと、レールを連結された台船上に敷設するレール敷設サブステップと、浚渫部を敷設されたレール上に載置する浚渫部配置サブステップと、からなる第一から第四の発明のいずれか一に記載の放射性物質で汚染された池等の底の浚渫方法を提案する。
【００１１】
また、第六の発明として、固定ステップは、池等を挟んで空中にロープを渡すロープ懸架サブステップと、懸架されたロープを介して浚渫装置を固定するロープ介在固定サブステップと、からなる第一から第五の発明のいずれか一に記載の放射性物質で汚染された池等の底の浚渫方法を提案する。
【００１２】
また、第七の発明として、浚渫装置移動ステップは、懸架されたロープを介して浚渫装置を移動するロープ介在移動サブステップを有する第四の発明又は第四の発明に従属する第五又は第六の発明に記載の放射性物質で汚染された池等の底の浚渫方法を提案する。
【発明の効果】
【００１３】
上記の浚渫方法を用いることにより、池等の底に蓄積した放射性物質を水中に巻き上げることなく浚渫を行うことが可能となる。
【図面の簡単な説明】
【００１４】
【図１】放射性物質で汚染された池等の底の浚渫方法の構成の一例を示す図
【図２】実施形態１の放射性物質で汚染された池等の底の浚渫方法の処理の流れの一例を示す図
【図３】実施形態２の放射性物質で汚染された池等の底の浚渫方法の処理の流れの一例を示す図
【図４】逆方向浚渫ステップの一例を示す概要図
【図５】実施形態３の放射性物質で汚染された池等の底の浚渫方法の処理の流れの一例を示す図
【図６】繰返ステップの一例を示す概要図
【図７】実施形態４の放射性物質で汚染された池等の底の浚渫方法の処理の流れの一例を示す図
【図８】浚渫装置移動ステップの移動の一例を示す概要図
【図９】実施形態５の放射性物質で汚染された池等の底の浚渫方法の処理の流れの一例を示す図
【図１０】実施形態６の放射性物質で汚染された池等の底の浚渫方法の処理の流れの一例を示す図
【図１１】実施形態７の放射性物質で汚染された池等の底の浚渫方法の処理の流れの一例を示す図
【図１２】ロープ介在移動サブステップの一例を示す概要図
【図１３】連結サブステップの一例を示す概要図
【図１４】ロープ介在移動サブステップの別の一例を示す概要図
【発明を実施するための形態】
【００１５】
以下、本発明の各実施形態について図面と共に説明する。各実施形態と請求項との相互の関係は以下のとおりである。まず、実施形態１は主に請求項１などに対応する。実施形態２は主に請求項２などに対応する。実施形態３は主に請求項３などに対応する。実施形態４は主に請求項４などに対応する。実施形態５は主に請求項５などに対応する。実施形態６は主に請求項６などに対応する。実施形態７は主に請求項７などに対応する。なお、本発明はこれらの実施形態に何ら限定されるものではなく、その要旨を逸脱しない範囲内において、様々な態様で実施し得る。
＜＜実施形態１＞＞
＜概要＞
【００１６】
本実施形態は、放射性物質で汚染された池等の底の浚渫方法に関する。
【００１７】
図１に本件発明の放射性物質で汚染された池等の底の浚渫方法の構成の一例を示す。（ａ）は側面図を、（ｂ）は上面図を示している。本件発明の放射性物質等で汚染された池等の底の浚渫方法において、フロート（０１０１）から構成される台船（０１０２）に敷かれたレール（０１０３）に、その最下部に浚渫取込口（０１０４）を付けた浚渫部（０１０５）を備えた浚渫装置（０１０６）が設けられている。浚渫装置はロープ（０１１３）等を用いて池等に固定されているとともに、レールと平行方向である第一方向（０１０７）又は／及びレールと垂直方向である第二方向（０１０８）に移動可能としてあり、浚渫装置の移動によって浚渫取込口から池等の底に蓄積した放射性物質（０１０９）が浚渫される。浚渫された放射性物質等を含む土砂は、パイプ（０１１０）を通してタンク（０１１１）に貯められ、放射能漏れが起きないように厳重に管理される。なお、フロートはコの字状又は口の字状に連結され、中央水窓部（０１１２）を有する台船を構成している。また、レールは台船の対向する二辺に敷かれている。
【００１８】
タンクは、タンク内に貯められる放射性物質による放射能漏れが起きないような構成であれば特に限定するものではないが、浚渫取込口からは放射性物質等を含む土砂のみならず土砂付近の濁水も取り込まれてタンクへと運搬されるため、そのままではタンクを大型とする必要がある。そこで、例えばタンクへと運搬された濁水に凝集剤を添加したうえでろ過し、放射性物質のフロックを沈降させて濃縮することにより、濁水の減容化を図る沈降分離装置でタンクを構成すると、タンクをコンパクトにすることができるため好適である。なお、タンクには土砂や濁水が貯められるため、タンクの設置場所としては池等の水際の陸上に設置されることが好ましいが、特に限定するものではない。
＜処理の流れ＞
【００１９】
図２は実施形態１の放射性物質で汚染された池等の底の浚渫方法の処理の流れの一例を示す図である。例えば本実施形態の放射性物質で汚染された池等の底の浚渫方法は、「準備ステップ」（Ｓ０２０１）と、「固定ステップ」（Ｓ０２０２）と、「順方向浚渫ステップ」（Ｓ０２０３）と、からなる。以下、各ステップにおいて詳細に説明する。
【００２０】
「準備ステップ」（Ｓ０２０１）において、放射性物質で底が汚染された池等に浚渫装置を浮かべる。本ステップにおいて重要な点は、池の底に蓄積した放射性物質を水中に巻き上げないように浚渫装置を設置する点である。放射性物質はそのほとんどが水底の粘土及びシルト（一般に粒径約４μｍ以上０．０６ｍｍ未満）の層間に捕獲され、しかも放射性物質が粘土に強く吸着された状態で存在しており、放射性物質は微粒子であり、放射性物質が吸着された粘土及びシルトが水中に拡散してしまうと放射能汚染をさらに拡大させてしまう可能性がある。そこで、浚渫装置を池の水面に浮かべて設置することにより、池の底に蓄積した放射性物質を巻き上げる事態を最小限にすることが可能となる。なお、「浚渫装置を浮かべる」には、例えばあらかじめ放射性物質で底が汚染された池の水面に台船を浮かべておき、その上に浚渫装置を載置することが好ましい（実施形態５において詳細に説明する）。
【００２１】
「固定ステップ」（Ｓ０２０２）において、浚渫装置を池等に対して固定する。本ステップにおいて重要な点は、準備ステップと同様に池の底に蓄積した放射性物質を水中に巻き上げないように浚渫装置を固定する点である。そこで、「浚渫装置を池等に対して固定する」には、例えば池の空中に懸架されたロープを用いて浚渫装置が固定されることが好ましい（実施形態６において詳細に説明する）。
【００２２】
「順方向浚渫ステップ」（Ｓ０２０３）において、固定ステップにて固定された後に浚渫部を中央水窓部内にて第一方向又は第二方向へ向かって移動させ順方向浚渫をする。「第一方向又は第二方向へ向かって移動」させる際に、スクリューのような動力を用いて浚渫部を移動させることは好ましくない。なぜなら、スクリューを作動させると池等の底の放射性物質を巻き上げてしまうからである。そこで、例えば図１に示す例のように、浚渫部に車輪を設けて浚渫部をレール上に設置し、車輪を回転させることによって浚渫部を移動させるなど、池等の底を放射性物質を巻き上げないようにして浚渫が行われることが好ましい。なお、順方向浚渫ステップは繰り返し行われ、池等の中央水窓部下に位置する汚染部分全体の浚渫が行われても良い（実施形態２又は３において詳細に説明する）。
＜効果＞
【００２３】
本実施形態の放射性物質で汚染された池等の底の浚渫方法を実施することにより、池等の底に蓄積した放射性物質を巻き上げることなく浚渫を行うことが可能となる。
＜＜実施形態２＞＞
＜概要＞
【００２４】
本実施形態の放射性物質で汚染された池等の底の浚渫方法は、基本的には実施形態１と同様であるが、順方向浚渫ステップで浚渫された順方向浚渫ラインに沿ってその側部領域を順方向と逆の方向に浚渫部を移動させて逆方向浚渫をする点が異なる。
＜処理の流れ＞
【００２５】
図３は実施形態２の放射性物質で汚染された池等の底の浚渫方法の処理の流れの一例を示す図である。例えば本実施形態の放射性物質で汚染された池等の底の浚渫方法は、「準備ステップ」（Ｓ０３０１）、「固定ステップ」（Ｓ０３０２）、「順方向浚渫ステップ」（Ｓ０３０３）、「逆方向浚渫ステップ」（Ｓ０３０４）と、からなる。Ｓ０３０１からＳ０３０３までのステップは実施形態１において説明したものと同様であるので、以下ではこれまでに説明していない逆方向浚渫ステップについて説明する。
【００２６】
「逆方向浚渫ステップ」（Ｓ０３０４）において、順方向浚渫ステップで浚渫された順方向浚渫ラインに沿ってその側部領域を順方向と逆の方向に浚渫部を移動させて逆方向浚渫をする。順方向浚渫ステップと逆方向浚渫ステップは浚渫部の移動方向が異なるため、順方向浚渫ステップの終了後に逆方向浚渫ステップを行うためには浚渫取込口を回転させる必要があり、浚渫取込口は台船が固定された状態でも回転可能なように構成されることが好ましい。
【００２７】
図４は逆方向浚渫ステップの一例を示す概要図である。（ａ）は比較例として実施形態１の順方向浚渫ステップのみを実施する際の浚渫方法の概要を、（ｂ）は実施形態２の逆方向浚渫ステップも含む浚渫方法の概要を示している。なお、説明しやすいように、台船（０４０１）と台船上に敷かれたレール（０４０２）、浚渫取込口（０４０３）以外の構成については図示していない。例えば（ａ）において、順方向浚渫ステップ後に順方向浚渫ライン（０４１１）に沿った側部領域（０４１２）を浚渫しようとすると、順方向浚渫ステップ終了後に例えば矢印（０４１３）に示すようにして順方向浚渫ステップ開始側に浚渫部を移動させたうえで再度順方向浚渫ステップを必要がある。すると、浚渫部を移動させる際には浚渫取込口を池等の底から離した状態で移動させないと池等の底に蓄積した放射性物質を巻き上げてしまう可能性があって、順方向浚渫ステップの終了後に浚渫取込口の引き上げと浚渫部の移動を行う必要が生じて手間となる。また、池等の水深が浅い場合には浚渫取込口と池等の底を十分に離すことができず、池等の底に蓄積した放射性物質を巻き上げてしまう可能性もある。そこで、（ｂ）において、順方向浚渫ステップの後に逆方向浚渫ステップを行うことにより、浚渫部の移動は例えば矢印（０４１３）に示すような必要最低限の移動となり、効率よく浚渫を行うことができる。さらに、浚渫部の移動により池等の底に蓄積した放射性物質を巻き上げてしまう事態を防ぐことができる。
【００２８】
なお、逆方向浚渫ステップを行う位置は、順方向浚渫ステップにより浚渫を行う位置とその一部を重ねることが好ましい。すなわち、順方向浚渫ラインの側部（浚渫方向に対して左右の側部）のうち一部を逆方向浚渫ステップにおいても浚渫することが好ましい。浚渫取込口の側部付近は一度の浚渫では十分に行うことができない場合があり、上記の浚渫方法を用いることにより、浚渫漏れを防ぐことができる。
【００２９】
また、逆方向浚渫ステップは順方向浚渫ステップとともに、池等の中央水窓部下に位置する汚染部分全体の浚渫が行われるまで繰り返されても良い（実施形態３において詳細に説明する）。
＜効果＞
【００３０】
本実施形態の放射性物質で汚染された池等の底の浚渫方法を実施することにより、池等の底に蓄積した放射性物質を巻き上げることなく、効率よく浚渫を行うことが可能となる。
＜＜実施形態３＞＞
＜概要＞
【００３１】
本実施形態の放射性物質で汚染された池等の底の浚渫方法は、基本的には実施形態２と同様であるが、順方向浚渫ステップと、逆方向浚渫ステップとを同じように繰り返す点が異なる。
＜処理の流れ＞
【００３２】
図５は実施形態３の放射性物質で汚染された池等の底の浚渫方法の処理の流れの一例を示す図である。例えば本実施形態の放射性物質で汚染された池等の底の浚渫方法は、「準備ステップ」（Ｓ０５０１）、「固定ステップ」（Ｓ０５０２）、「順方向浚渫ステップ」（Ｓ０５０３）、「逆方向浚渫ステップ」（Ｓ０５０４）、「繰返ステップ」（Ｓ０５０５）と、からなる。Ｓ０５０１からＳ０５０４までのステップは実施形態１及び２において説明したものと同様であるので、以下ではこれまでに説明していない繰返ステップについて説明する。
【００３３】
「繰返ステップ」（Ｓ０５０５）において、順方向浚渫ステップと、逆方向浚渫ステップとを同じように繰り返すことで池等の中央水窓部下に位置する底の汚染部分をまんべんなく浚渫する。
【００３４】
図６は繰返ステップの一例を示す概要図である。なお、説明しやすいように、台船（０６０１）と台船上に敷かれたレール（０６０２）、浚渫取込口（０６０３）以外の構成については図示していない。一度の順方向浚渫ステップと逆方向浚渫ステップによる浚渫では中央水窓部下に位置する底の汚染部分全体を浚渫することが出来ないが（一度目の浚渫：０６１１）、繰返ステップにより順方向浚渫ステップと逆方向浚渫ステップを繰り返すことにより（二度目の浚渫：０６１２、三度目の浚渫：０６１３、四度目の浚渫：０６１４）、当該汚染部分全体をまんべんなく浚渫することが可能となる。
【００３５】
なお、順方向浚渫ステップにて当該汚染部分全体の浚渫が完了した場合には、逆方向浚渫ステップは行われずに浚渫を完了としても良い。図に示す例においては、四度目の浚渫で順方向浚渫ステップによる浚渫のみ行っている。また、池等の水面に障害物（岩等）が存在する場合には、その部分を避けて順方向浚渫ステップと逆方向浚渫ステップが行われる。
＜効果＞
【００３６】
本実施形態の放射性物質で汚染された池等の底の浚渫方法を実施することにより、池等の底に蓄積した放射性物質を巻き上げることなく、池等の中央水窓部下に位置する底の汚染部分をまんべんなく浚渫することが可能となる。
＜＜実施形態４＞＞
＜概要＞
【００３７】
本実施形態の放射性物質で汚染された池等の底の浚渫方法は、基本的には実施形態３と同様であるが、繰返ステップによって中央水窓部下に位置する池等の底の汚染部分の浚渫が完了した後に浚渫装置の池等に対する固定を解除し、浚渫が完了した池の中央水窓部分である浚渫完了中央水窓部分に隣接する領域に中央水窓部分が配置されるように浚渫装置を移動させる点が異なる。
＜処理の流れ＞
【００３８】
図７は実施形態４の放射性物質で汚染された池等の底の浚渫方法の処理の流れの一例を示す図である。例えば本実施形態の放射性物質で汚染された池等の底の浚渫方法は、「準備ステップ」（Ｓ０７０１）、「固定ステップ」（Ｓ０７０２）、「順方向浚渫ステップ」（Ｓ０７０３）、「逆方向浚渫ステップ」（Ｓ０７０４）、「繰返ステップ」（Ｓ０７０５）、「固定解除ステップ」（Ｓ０７０６）、「浚渫装置移動ステップ」（Ｓ０７０７）と、からなる。Ｓ０７０１からＳ０７０５までのステップは実施形態１から３において説明したものと同様であるので、以下ではこれまでに説明していない固定解除ステップ、浚渫装置移動ステップについて説明する。
【００３９】
「固定解除ステップ」（Ｓ０７０６）において、繰返ステップによって中央水窓部下に位置する池等の底の汚染部分の浚渫が完了した後に浚渫装置の池等に対する固定を解除する。「浚渫装置の池等に対する固定を解除」することによって、後述する浚渫装置移動ステップにおいて浚渫装置を移動させることが可能となる。
【００４０】
「浚渫装置移動ステップ」（Ｓ０７０７）において、固定解除ステップの後に、浚渫が完了した池の中央水窓部分である浚渫完了中央水窓部分に隣接する領域に中央水窓部分が配置されるように浚渫装置を移動させる。本ステップにおいて重要な点は、浚渫装置を移動させる際に池等の底に蓄積した放射性物質を水中に巻き上げないようにする点である。そこで、例えば「浚渫装置を移動させる」には、懸架されたロープを介して浚渫装置を移動することが好ましい（実施形態７において詳細に説明する）。
【００４１】
図８は浚渫装置移動ステップの一例を示す概要図である。なお、説明しやすいように、浚渫装置の中央水窓部（０８０１）と池の水面（０８０２）以外の構成については図示していない。実施形態３で説明した、ステップＳ０７０１からステップＳ０７０５による浚渫方法では、池等の中央水窓部下に位置する底の汚染部分しか浚渫することが出来ない。実施形態３で説明した方法を用いて大きい池等の底全体を浚渫するにはその水面全面を中央水窓部で覆う必要があるが、本方法は現実的ではない。そこで、まず（Ａ）の位置の中央水窓部下の浚渫が完了した場合に、固定解除ステップと浚渫装置移動ステップにより、浚渫が完了した（Ａ）の位置における中央水窓部分である浚渫完了中央水窓部分に対して隣接する領域に中央水窓部分が配置されるように、例えば中央水窓部が（Ｂ）の位置に配置されるように浚渫装置を移動して再度浚渫を行う。さらに、（Ｂ）の位置の中央水窓部下の浚渫が完了した場合には、再度固定解除ステップと浚渫装置移動ステップにより、中央水窓部が（Ｃ）の位置に配置されるように浚渫装置を移動して浚渫を行うといった工程を繰り返し行うことにより、池等の面積が大きい場合でもその底全体に蓄積した放射性物質を浚渫することが可能となる。
【００４２】
なお、ある位置にて浚渫装置による中央水窓部下の浚渫が完了したのち浚渫装置を移動する場合には、移動の前後で中央水窓部の配置に関してその一部が重なるようにして移動することが好ましい。すなわち、図に示す例で説明すると、（Ａ）の位置と（Ｂ）の位置（又は（Ｂ）の位置と（Ｃ）の位置）で中央水窓部はその一部が重なるようにして、例えば（Ａ）の位置において中央水窓部下の浚渫が完了したのち（Ｂ）の位置にて浚渫を行う際に、すでに（Ａ）の位置において浚渫が完了した部分の一部について再度（Ｂ）の位置でも浚渫を行う。すると、実施形態２において説明したように、浚渫取込口の側部付近の浚渫漏れを防ぐことができる。
＜効果＞
【００４３】
本実施形態の放射性物質で汚染された池等の底の浚渫方法を実施することにより、池等の底に蓄積した放射性物質を巻き上げることなく、池等の面積が大きい場合でもその底全体を浚渫することが可能となる。
＜＜実施形態５＞＞
＜概要＞
【００４４】
本実施形態は、基本的には実施形態１から４の放射性物質で汚染された池等の底の浚渫方法と同様であるが、浚渫装置の準備として、複数の直方体フロートを池等周辺に運び込み、フロートをコの字状又は口の字状に連結して台船とし、レールを連結された台船上に敷設し、浚渫部を敷設されたレール上に載置する点が異なる。
＜処理の流れ＞
【００４５】
図９は実施形態５の放射性物質で汚染された池等の底の浚渫方法の処理の流れの一例を示す図である。例えば本実施形態の放射性物質で汚染された池等の底の浚渫方法は、「準備ステップ」（Ｓ０９０１）、「固定ステップ」（Ｓ０９０２）、「順方向浚渫ステップ」（Ｓ０９０３）、「逆方向浚渫ステップ」（Ｓ０９０４）、「繰返ステップ」（Ｓ０９０５）、「固定解除ステップ」（Ｓ０９０６）、「浚渫装置移動ステップ」（Ｓ０９０７）と、からなり、準備ステップは、「フロート運搬サブステップ」（Ｓ０９１１）、「連結サブステップ」（Ｓ０９１２）、「レール敷設サブステップ」（Ｓ０９１３）、「浚渫部配置サブステップ」（Ｓ０９１４）と、からなる。なお、Ｓ０９０４からＳ０９０７のステップは行わなくてもよい。以下ではこれまでに説明していないフロート運搬サブステップ、連結サブステップ、レール敷設サブステップ、浚渫部配置サブステップについて説明する。
【００４６】
「フロート運搬サブステップ」（Ｓ０９１１）において、複数の直方体フロートを池等周辺に運び込む。「フロート」は、後述するように浚渫部を載置するための台船とするために使用する。放射性物質で汚染された池等は山奥である場合も考えられるため、大型の設備は運搬できない場合がある。そこで、フロートのサイズは人が持ち運び可能なサイズ（例えば２Ｗ×１Ｄ×０．５Ｈ（ｍ）など）や重量（例えば５ｋｇなど）であることが好ましい。なお、フロートに限らず浚渫部等の設備品も山奥に運搬可能なサイズや重量であることが好ましい。
【００４７】
「連結サブステップ」（Ｓ０９１２）において、フロート運搬ステップにて運び込まれたフロートをコの字状又は口の字状に連結して台船とする。連結サブステップは池等の水面上で行われても、陸上で行われても良い。「コの字状又はロの字状」とするのは、台船の中央に中央水窓部を設けるためである。また、台船をコの字状又はロの字状としてその中央に中央水窓部を設けて浚渫装置を構成すると、浚渫部は池等の中央水窓部下の底を二次元的に浚渫することが可能となる。なお、本件発明においてコの字状又はロの字状とは、例えばロの字とした場合の台船の周囲四辺のうち一辺だけ長さが短い形状なども含んでおり、台船を上面から見た際に厳密にコの字状又はロの字状である構成に限定するものではない。
【００４８】
図１３は連結サブステップの一例を示す概要図である。（ａ）はフロートの連結に関する斜視図を、（ｂ）は連結されたフロートの上面図を示している。例えばフロート（１３０１）同士の連結は、フロートの側面に凹部（１３０２）を設けておき、凹部に留め具（１３０３）をはめ込むことによって、フロート同士を連結させる構成としても良い。
【００４９】
「レール敷設サブステップ」（Ｓ０９１３）において、レールを連結された台船上に敷設する。レールは台船の対向する二辺に敷設するものとする。すると、浚渫部は二辺のレール上に載置されることとなり、池等の水面上に浮かんでいても安定して浚渫部を移動させることが可能となる。なお、レール敷設サブステップは池等の水面上で行われても、陸地で行われてもよい。
【００５０】
「浚渫部配置サブステップ」（Ｓ０９１４）において、浚渫部を敷設されたレール上に載置する。
＜効果＞
【００５１】
本実施形態において説明した準備ステップを行うことにより、池等の底に蓄積した放射性物質を巻き上げることなく浚渫することが可能となる。また、池等が山奥であっても設備を人力で運搬し、浚渫装置を構成して浚渫を行うことが可能となる。
＜＜実施形態６＞＞
＜概要＞
【００５２】
本実施形態は、基本的には実施形態１から５の放射性物質で汚染された池等の底の浚渫方法と同様であるが、固定ステップにおいて池等を挟んで空中にロープを渡し、懸架されたロープを介して浚渫装置を固定する点が異なる。
＜処理の流れ＞
【００５３】
図１０は実施形態６の放射性物質で汚染された池等の底の浚渫方法の処理の流れの一例を示す図である。例えば本実施形態の放射性物質で汚染された池等の底の浚渫方法は、「準備ステップ」（Ｓ１００１）、「固定ステップ」（Ｓ１００２）、「順方向浚渫ステップ」（Ｓ１００３）、「逆方向浚渫ステップ」（Ｓ１００４）、「繰返ステップ」（Ｓ１００５）、「固定解除ステップ」（Ｓ１００６）、「浚渫装置移動ステップ」（Ｓ１００７）と、からなり、準備ステップは、「フロート運搬サブステップ」（Ｓ１０１１）、「連結サブステップ」（Ｓ１０１２）、「レール敷設サブステップ」（Ｓ１０１３）、「浚渫部配置サブステップ」（Ｓ１０１４）と、からなり、固定ステップは「ロープ懸架サブステップ」（Ｓ１０２１）、「ロープ介在固定サブステップ」（Ｓ１０２２）と、からなる。なお、ステップＳ１００４からステップＳ１００７又は／及びステップＳ１０１２からステップＳ１０１４は有していなくてもよい。以下ではこれまでに説明していないロープ懸架サブステップ、ロープ介在固定サブステップについて説明する。
【００５４】
「ロープ懸架サブステップ」（Ｓ１０２１）において、池等を挟んで空中にロープを渡す。本ステップにおいて空中に渡されたロープを用いて、浚渫装置が固定される。例えば浚渫装置を池等に固定する際に杭等を打ち込む方法を用いると、杭を打ち込んだ辺りの池等の底に蓄積した放射性物質を巻き上げてしまい、さらに放射能による被害が拡散してしまう恐れが生じる。そこで、空中に渡されたロープを浚渫装置の固定に用いることにより、池等の底に蓄積した放射性物質を巻き上げる事態を防止することが出来る。
【００５５】
「ロープ介在固定サブステップ」（Ｓ１０２２）において、懸架されたロープを介して浚渫装置を固定する。なお、本実施形態の浚渫方法が固定解除ステップや浚渫装置移動ステップを含む場合には、浚渫装置の固定が容易に解除できるような構成とすることがより好ましい。
＜効果＞
【００５６】
本実施形態において説明した固定ステップを行うことにより、池等の底に蓄積した放射性物質を巻き上げることなく浚渫装置を固定することが可能となる。
＜＜実施形態７＞＞
＜概要＞
【００５７】
本実施形態の放射性物質で汚染された池等の底の浚渫方法は、基本的には実施形態１から６において説明した放射性物質で汚染された池等の底の浚渫方法と同様であるが、浚渫装置移動ステップにおいて懸架されたロープを介して浚渫装置を移動する点が異なる。
＜処理の流れ＞
【００５８】
図１１は実施形態７の放射性物質で汚染された池等の底の浚渫方法の処理の流れの一例を示す図である。例えば本実施形態の放射性物質で汚染された池等の底の浚渫方法は、「準備ステップ」（Ｓ１１０１）、「固定ステップ」（Ｓ１１０２）、「順方向浚渫ステップ」（Ｓ１１０３）、「逆方向浚渫ステップ」（Ｓ１１０４）、「繰返ステップ」（Ｓ１１０５）、「固定解除ステップ」（Ｓ１１０６）、「浚渫装置移動ステップ」（Ｓ１１０７）と、からなり、準備ステップは、「フロート運搬サブステップ」（Ｓ１１１１）、「連結サブステップ」（Ｓ１１１２）、「レール敷設サブステップ」（Ｓ１１１３）、「浚渫部配置サブステップ」（Ｓ１１１４）と、からなり、固定ステップは「ロープ懸架サブステップ」（Ｓ１１２１）、「ロープ介在固定サブステップ」（Ｓ１１２２）と、からなり、浚渫装置移動ステップは、「ロープ介在移動サブステップ」（Ｓ１１３１）と、からなる。なお、ステップＳ１１０４からステップＳ１１０７又は／及びステップＳ１１１１からステップＳ１１１４又は／およびステップＳ１１２１からステップＳ１１２２は有していなくてもよい。以下ではこれまでに説明していないロープ介在移動サブステップについて説明する。
【００５９】
「ロープ介在移動サブステップ」（Ｓ１１３１）において、懸架されたロープを介して浚渫装置を移動する。浚渫装置は池等の水面上に浮かんでいるので、例えば「浚渫装置を移動する」には、ロープを巻き上げるなどして引っ張ることによりロープと固定されている浚渫装置を移動させる構成としてもよいし、ロープを固定しておき浚渫装置がロープを巻き上げることで浚渫装置が移動する構成としてもよい。本構成をとることにより、浚渫装置を移動させる際に池等の底に蓄積した放射性物質を巻き上げる事態を防止することが出来る。
【００６０】
図１２はロープ介在移動サブステップの一例を示す概要図である。なお、説明のために図１に記載されている浚渫装置のパイプやタンクについては図示していない。ロープ介在移動サブステップの一例として、例えば浚渫装置（１２０１）が、対岸に設置されたポール（１２０２）にわたされたロープ（１２０３）により固定されているものとする。（ａ）において池等の中央水窓部下の底（１２０４）の浚渫が終了した場合に、ポールがロープを矢印（１２０５）の方向に巻き上げると、ロープに固定されている浚渫装置を同じ方向に移動させることができ（ｂ）、新たな位置で中央水窓部下の底（１２０６）の浚渫を行うことができる。
【００６１】
図１４は、ロープ介在移動サブステップの別の一例を示す概要図である。本図に示す例において、池等岸に少なくとも一端を固定したロープ（１４０１）を用いて池に浮かべた浚渫装置（１４０２）を移動させることができる。具体的には、例えば、浚渫装置の台船上にウィンチ（１４０３）を２つ設け、ウインチにロープを巻き付けて、浚渫装置を動かしたい部分の前後の池等の岸に支柱を立ててロープを固定し、ウィンチを操作して浚渫装置を移動させることが可能となる。なお、２つのうち１つのウィンチはロープを巻き上げ、もう１つのウィンチでロープを放つことになる。また、ウィンチを台船の四隅に設置し、それぞれ池の四方にて固定されているロープの端部を把持するようにすると、各ウィンチの巻き分量、放ち分量によって池の中を自由に移動し、台船を所望の位置に配置することが可能となる。その際にはウィンチはその巻き取りシリンダーが自由に向きを変更できるようであるとなお好ましい。なお、説明のために図１に記載されている浚渫装置のパイプやタンクについては図示していない。
＜効果＞
【００６２】
本実施形態において説明した準備ステップを行うことにより、浚渫装置を移動する際に池等の底に蓄積した放射性物質を巻き上げることなく浚渫装置を移動することが可能となる。
【符号の説明】
【００６３】
０１０１：フロート
０１０２：台船
０１０３：レール
０１０４：浚渫取込口
０１０５：浚渫部
０１０６：浚渫装置
０１０７：第一方向
０１０８：第二方向
０１０９：放射性物質
０１１０：パイプ
０１１１：タンク
０１１２：中央水窓部
０１１３：ロープ
【図１】
0006515430.tif 000002
【図２】
0006515430.tif 000003
【図３】
0006515430.tif 000004
【図４】
0006515430.tif 000005
【図５】
0006515430.tif 000006
【図６】
0006515430.tif 000007
【図７】
0006515430.tif 000008
【図８】
0006515430.tif 000009
【図９】
0006515430.tif 000010
【図１０】
0006515430.tif 000011
【図１１】
0006515430.tif 000012
【図１２】
0006515430.tif 000013
【図１３】
0006515430.tif 000014
【図１４】
0006515430.tif 000015